(57)【要約】【課題】集合住宅の各住人がそれぞれ車両の充電にどれだけの共用電灯を使用したかを把握できる集合住宅用の車両充電システムを提供する。【解決手段】集合住宅の駐車場に駐車された車両を、共用電灯を使用して充電するための集合住宅用の車両充電システムであって、利用者を特定するための利用者情報を入力する入力手段と、入力手段により入力された利用者情報に基づいて当該車両充電システムの利用を許可するか否かを判定する判定手段と、判定手段により利用を許可すると判定されると、共用電灯を使用して車両を充電する充電手段と、充電手段が充電を開始してから当該充電を終了するまでの電力量を計測する計測手段と、利用者情報と計測手段により計測された電力量とを対応付けて記憶する記憶手段と、を備える。【選択図】図１
2010187451.tif 000002
【特許請求の範囲】
【請求項１】
集合住宅の駐車場に駐車された車両を、共用電灯を使用して充電するための集合住宅用の車両充電システムであって、
利用者を特定するための利用者情報を入力する入力手段と、
前記入力手段により入力された利用者情報に基づいて当該車両充電システムの利用を許可するか否かを判定する判定手段と、
前記判定手段により利用を許可すると判定されると、共用電灯を使用して前記車両を充電する充電手段と、
前記充電手段が充電を開始してから当該充電を終了するまでの電力量を計測する計測手段と、
前記利用者情報と前記計測手段により計測された電力量とを対応付けて記憶する記憶手段と、
を備える、集合住宅用の車両充電システム。
【請求項２】
請求項１に記載の集合住宅用の車両充電システムであって、
充電用端末と管理サーバとを備え、
前記充電用端末は、前記入力手段、前記充電手段、前記計測手段、及び、前記管理サーバと通信する第１の通信手段を有し、
前記管理サーバは、前記判定手段、前記記憶手段、及び前記充電用端末と通信する第２の通信手段を有する、集合住宅用の車両充電システム。
【請求項３】
請求項２に記載の集合住宅用の車両充電システムであって、
複数の前記充電用端末を備え、
前記管理サーバは、複数の前記充電用端末から前記利用者情報と前記電力量とを受信して前記記憶手段に記憶する、集合住宅用の車両充電システム。
【請求項４】
請求項１乃至請求項３のいずれか一項に記載の集合住宅用の車両充電システムであって、
前記入力手段は、利用者情報が記録されているカードから利用者情報を読み取ることにより入力する、集合住宅用の車両充電システム。
【請求項５】
請求項１乃至請求項４のいずれか一項に記載の集合住宅用の車両充電システムであって、
前記計測手段は、前記充電手段に流れる電流の電流値を更に計測する、集合住宅用の車両充電システム。
【請求項６】
請求項１乃至請求項５のいずれか一項に記載の集合住宅用の車両充電システムであって、
前記記憶手段は、予め登録された電気料金単価と前記計測手段により計測された電力量とから電気料金を計算して記憶する、集合住宅用の車両充電システム。
【請求項７】
集合住宅の駐車場に駐車された車両を、共用電灯を使用して充電するための集合住宅用の充電用端末であって、
管理サーバと通信する第１の通信手段と、
利用者を特定するための利用者情報を入力する入力手段と、
前記入力手段により入力された利用者情報を前記第１の通信手段により管理サーバに送信し、前記管理サーバにより当該車両充電システムの利用が許可されると、共用電灯を使用して前記車両を充電する充電手段と、
前記充電手段が充電を開始してから当該充電を終了するまでの電力量を計測する計測手段と、
を備え、前記計測手段により計測された電力量を前記第１の通信手段により前記管理サーバに送信する、充電用端末。
【発明の詳細な説明】
【技術分野】
【０００１】
本発明は、集合住宅の駐車場に駐車された車両を、共用電灯を使用して充電するための集合住宅用の車両充電システム及び充電用端末に関する。
【背景技術】
【０００２】
従来、店舗の駐車場に設置され、駐車中に電気自動車を充電できるとともに、店舗のＰＯＳ装置で充電料を併せて支払う電気自動車用駐車場システムが知られている。
【先行技術文献】
【特許文献】
【０００３】
【特許文献１】特開平１１−８６０５８号公報
【発明の概要】
【発明が解決しようとする課題】
【０００４】
ところで、電気自動車（ＥＶ）やプラグインハイブリッド車（ＰＨＶ）が普及すると、集合住宅にその集合住宅の住人が所有する電気自動車やプラグインハイブリッド車を充電するための充電システムが設置されることが予想される。この場合、集合住宅の共用電灯を使用して充電することが予想される。
しかしながら、共用電灯を使用すると各住人が充電にどれだけの共用電灯を使用したかを把握できないという問題がある。
【０００５】
本発明は上記のような事情に基づいて完成されたものであって、集合住宅の各住人が車両の充電に使用した共用電灯の使用量を容易に把握できる集合住宅用の車両充電システムを提供することを目的とする。
【課題を解決するための手段】
【０００６】
第１の発明は、集合住宅の駐車場に駐車された車両を、共用電灯を使用して充電するための集合住宅用の車両充電システムであって、利用者を特定するための利用者情報を入力する入力手段と、前記入力手段により入力された利用者情報に基づいて当該車両充電システムの利用を許可するか否かを判定する判定手段と、前記判定手段により利用を許可すると判定されると、共用電灯を使用して前記車両を充電する充電手段と、前記充電手段が充電を開始してから当該充電を終了するまでの電力量を計測する計測手段と、前記利用者情報と前記計測手段により計測された電力量とを対応付けて記憶する記憶手段と、を備える。
この発明によると、集合住宅の各住人（利用者）に予め利用者情報を付与しておき、各利用者が自身に付与された利用者情報を入力手段に入力して充電を行うと、その利用者の利用者情報と充電を開始してから当該充電を終了するまでの共用電灯の使用量（電力量）とが対応付けられて記憶されるので、各利用者がそれぞれ車両の充電にどれだけの共用電灯を使用したかを把握できる。
【０００７】
第２の発明は、第１の発明の集合住宅用の車両充電システムであって、充電用端末と管理サーバとを備え、前記充電用端末は、前記入力手段、前記充電手段、前記計測手段、及び、前記管理サーバと通信する第１の通信手段を有し、前記管理サーバは、前記判定手段、前記記憶手段、及び前記充電用端末と通信する第２の通信手段を有する。
この発明によると、集合住宅用の車両充電システムを充電用端末と管理サーバとで構成するので、例えば管理サーバを集合住宅の管理人室あるいは集中管理室に設置することにより、管理人は充電用端末まで行くことなく各利用者の電力量を把握できる。
【０００８】
第３の発明は、第２の発明の集合住宅用の車両充電システムであって、複数の前記充電用端末を備え、前記管理サーバは、複数の前記充電用端末から前記利用者情報と前記電力量とを受信して前記記憶手段に記憶する。
この発明によると、複数の充電用端末から送信される利用者情報と電力量とを管理サーバで集中管理できる。
【０００９】
第４の発明は、第１〜第３のいずれかの発明の集合住宅用の車両充電システムであって、前記入力手段は、利用者情報が記録されているカードから利用者情報を読み取ることにより入力する。
この発明によると、利用者情報カードがなければ充電できないので、不正な充電を低減できる。
【００１０】
第５の発明は、第１〜第４のいずれかの発明の集合住宅用の車両充電システムであって、前記計測手段は、前記充電手段に流れる電流の電流値を更に計測する。
この発明によると、充電に使用されている電流の電流値を管理できる。
第６の発明は、第１〜第５のいずれかの発明の集合住宅用の車両充電システムであって、前記記憶手段は、予め登録された電気料金単価と前記計測手段により計測された電力量とから電気料金を計算して記憶する。
この発明によると、各利用者に請求する電気料金を容易に知ることができる。
第７の発明は、集合住宅の駐車場に駐車された車両を、共用電灯を使用して充電するための集合住宅用の充電用端末であって、管理サーバと通信する第１の通信手段と、利用者を特定するための利用者情報を入力する入力手段と、前記入力手段により入力された利用者情報を前記第１の通信手段により管理サーバに送信し、前記管理サーバにより当該車両充電システムの利用が許可されると、共用電灯を使用して前記車両を充電する充電手段と、前記充電手段が充電を開始してから当該充電を終了するまでの電力量を計測する計測手段と、を備え、前記計測手段により計測された電力量を前記第１の通信手段により前記管理サーバに送信する。
この発明によると、集合住宅の各住人（利用者）がそれぞれ車両の充電にどれだけの共用電灯を使用したかを把握することが可能になる。
【発明の効果】
【００１１】
本発明によれば、集合住宅の各住人がそれぞれ車両の充電にどれだけの共用電灯を使用したかを把握できる。
【図面の簡単な説明】
【００１２】
【図１】本発明の一実施形態に係る集合住宅用の車両充電システムを駐車場に設置した様子を示す模式図。
【図２】受電設備からの電力供給経路を示す模式図。
【図３】充電用端末の電気的構成を示すブロック図。
【図４】管理サーバの電気的構成を示すブロック図。
【図５】利用者情報テーブルの模式図。
【図６】電力量テーブルの模式図。
【図７】充電制御処理を示すシーケンスチャート。
【発明を実施するための形態】
【００１３】
＜実施形態１＞
本発明の実施形態１を図１ないし図７によって説明する。
（１）集合住宅用の車両充電システムの全体構成
図１は、本発明の実施形態１に係る集合住宅用の車両充電システム１を駐車場１１に設置した様子を示す模式図である。車両充電システム１は、充電ポスト１８、及び管理サーバ１９を備えて構成されている。
一般にマンションやアパートなどの集合住宅１０では各戸に供給するための電力を電力会社から受電する各戸受電設備１２（電力会社が設置）と、集合住宅１０の外灯３０などの共用負荷に供給するための共用電灯を電力会社から受電する共用受電設備１３（電力会社が設置する場合と集合住宅管理者が設置する場合がある。具体的には、例えば共用電灯契約が５０ｋＶＡ未満（低圧）の場合は電力会社が設置し、共用電灯契約が５０ｋＶＡ以上（高圧）の場合は集合住宅管理者が設置する。図１は、集合住宅管理者が設置する場合の例である。）とが設置される。車両充電システム１は、集合住宅１０の駐車場に駐車された車両（電気自動車（ＥＶ）やプラグインハイブリッド車（ＰＨＶ）など、走行動力源としてバッテリ（例えば二次電池）を有する車両）を、共用電灯を使用して充電する。
【００１４】
図２は、受電設備からの電力供給経路を示す模式図である。各戸受電設備１２で受電した電力は図示しない分電盤１６により分電されて各戸（図２では１０１号室、１０２号室、１０３号室など）に供給される。各戸にはそれぞれ電力量を計測する電力量計１４が設置（電力会社が設置）されており、戸別に電力量が計測される。
【００１５】
一方、共用受電設備１３で受電した電力は、メインブレーカー１５を介して分電盤１６（図１参照）に供給される。分電盤１６に供給された共用電灯は分電盤１６により分電され、それぞれ子ブレーカー１７を介して共用負荷や各充電ポスト１８（充電用端末の一例）に供給される。
【００１６】
次に、車両充電システム１を構成する充電ポスト１８、及び管理サーバ１９について、図１を参照して説明する。
【００１７】
充電ポスト１８は、集合住宅１０の駐車場１１の各駐車位置にそれぞれ設置されている。なお、図１では充電ポスト１８が４台設置されている場合を示しているが、充電ポスト１８の台数は集合住宅の戸数や車両数に応じて適宜選択可能である。
【００１８】
管理サーバ１９は、例えば集合住宅１０の管理人室あるいは集中管理室に設置されている。管理サーバ１９は各充電ポスト１８と通信線２０を介して通信可能に接続されており、各住人がそれぞれ車両の充電にどれだけの共用電灯を使用したかを集中管理する。
【００１９】
（２）充電ポスト１８の電気的構成
図３は、充電ポスト１８の電気的構成を示すブロック図である。
充電ポスト１８は、カード読取部２１、コンセント２２、継電器２３、ポスト側通信部２４、電力量計（子メータ）２５（計測手段の一例）、及び制御部２６などで構成されている。
【００２０】
カード読取部２１（入力手段の一例）は、車両充電システム１の利用が許可されている利用者に配付されている利用者情報カードから利用者情報を読み取る。利用者情報としては各利用者を他の利用者と区別して一意に識別できる情報であれば任意の情報を用いることができる。利用者情報カードとしては、ＩＣチップが埋め込まれたＩＣカードや磁気カードなどを用いることができる。
【００２１】
コンセント２２（充電手段の一例）には、分電盤１６から延びる電力供給線２７が接続されている。コンセント２２は充電ポスト１８の内部に埋め込まれており、車両のバッテリから延びる受電用プラグが差し込まれる。
継電器２３は、電力供給線２７上に設けられている。継電器２３がオンになるとコンセント２２と分電盤１６とが電気的に接続されて充電ポスト１８が充電可能状態になり、オフになると充電不可能状態になる。
【００２２】
電力量計（子メータ）２５は、電力供給線２７上に設けられており、電力供給線２７を流れる電流を測定して制御部２６に出力する。
また、電力量計（子メータ）２５は、充電ポスト１８が充電に使用する共用電灯の電力量を計測する。
【００２３】
ポスト側通信部２４（第１の通信手段の一例）は、通信線２０を介してサーバ側通信部４７と通信可能に接続されている。通信線２０としてはＬＡＮケーブルを用いてもよいし、電力線を通信に利用する電力線通信を行う場合には電力供給線２７を用いてもよい。なお、ポスト側通信部２４とサーバ側通信部４７とは互いに通信可能に接続されていればよく、例えば無線接続であってもよい。
【００２４】
制御部２６（入力手段、充電手段、計測手段、第１の通信手段の一例）は、図示しないＣＰＵ、ＲＯＭ、ＲＡＭなどで構成されている。
【００２５】
（３）管理サーバの電気的構成
図４は、管理サーバ１９の電気的構成を示すブロック図である。管理サーバ１９は所謂パーソナルコンピュータであり、ＣＰＵ４０（判定手段、記憶手段、第２の通信手段の一例）、ＲＯＭ４１、ＲＡＭ４２、外部記憶装置４３（記憶手段の一例）、入力装置４４、表示装置４５、計時部４６、サーバ側通信部４７（第２の通信手段の一例）、これらを接続するバス４８などを備えている。
【００２６】
ＣＰＵ４０はＲＯＭ４１に記憶されているプログラムを実行することにより管理サーバ１９の各部を制御する。ＲＯＭ４１はＣＰＵ４０により実行される各種のプログラムやデータを記憶している。ＲＡＭ４２はＣＰＵ４０が各種の処理を実行するための主記憶装置として用いられる。外部記憶装置４３はハードディスクや書き換え可能な不揮発性メモリなどで構成されており、データベースプログラムや電気料金単価などを記憶している。入力装置４４はキーボードやマウスなどで構成されている。表示装置４５は液晶ディスプレイやＣＲＴ（Cathode Ray Tube）などで構成されている。計時部４６は時刻を計時してＣＰＵ４０に出力する。サーバ側通信部４７は充電ポスト１８のポスト側通信部２４と通信可能に接続されている。
【００２７】
管理サーバ１９は、外部記憶装置４３に記憶されているデータベースプログラムをＣＰＵ４０により実行することにより、電力量管理データベースとして機能する。
【００２８】
図５及び図６は、電力量管理データベースのテーブル構成を示す模式図である。電力量管理データベースは、図５に示す利用者情報テーブルや、図６に示す電力量テーブルなどで構成される。
【００２９】
利用者情報テーブルは、利用者情報を記憶するテーブルであり、住人の氏名、その住人を一意に識別するための利用者情報などのフィールドからなる。
電力量テーブルは、充電に使用した共用電灯の電力量などを記憶するテーブルであり、利用者情報、電力量、電気料金、ＣＯ２削減量、充電開始日時、充電完了日時などのフィールドからなる。
【００３０】
（４）車両充電システムの作動
車両を充電する場合、集合住宅１０の住人は先ず車両に備えられている充電用プラグを充電ポスト１８のコンセント２２に差し込む。この段階ではまだ継電器２３はオフであり、充電は開始されない。
次に、運転者或いは同乗者が、利用者情報カードをカード読取部２１に読み取らせる。カード読取部２１が利用者情報カードから利用者情報を読み取ると、カード読取部２１から制御部２６に利用者情報が出力され、充電を制御する充電制御処理が開始される。
【００３１】
図７は、充電制御処理を示すシーケンスチャートである。
Ｓ１０１では、充電ポスト１８の制御部２６は、カード読取部２１から出力された利用者情報を、ポスト側通信部２４を介して管理サーバ１９に送信する。
Ｓ１０２では、管理サーバ１９のＣＰＵ４０は、制御部２６から利用者情報を受信すると、受信した利用者情報を利用者情報テーブルから検索し、利用者情報テーブルに登録されていれば利用を許可すると判定し、登録されていなければ利用を許可しないと判定する。
【００３２】
Ｓ１０３では、ＣＰＵ４０はＳ１０２での判定結果を充電ポスト１８に送信する。
Ｓ１０４では、充電ポスト１８の制御部２６は利用を許可する判定結果を受信した場合はＳ１０５に進み、利用を許可しない判定結果を受信した場合は処理を終了する。
なお、利用を許可せずに処理を終了する場合は、その旨を報知するようにしてもよい。この報知は、例えば充電ポスト１８に表示装置を設けてその表示装置にその旨を表示することによって行ってもよいし、スピーカなどの発音装置を設けて音声案内することによって行ってもよい。
【００３３】
Ｓ１０５では、制御部２６は当該充電ポスト１８の継電器２３をオンにして車両のバッテリの充電を開始する。充電が開始されると、電力量計（子メータ）２５による電力量の計測が開始される。
Ｓ１０６では、制御部２６は利用者情報カードから読み取った利用者情報とＳ１０５で継電器２３をオンにした情報と電力量計（子メータ）２５から取得した電流値とを管理サーバ１９に送信する。なお、利用者情報については既にＳ１０１で送信済みであるので、それ以外の情報を送信するようにしてもよい。また、電力量計（子メータ）２５から取得した電流値は、常に管理サーバ１９に送信する。更に、複数の充電ポスト１８の電力量計（子メータ）２５から取得した電流値を常に管理サーバ１９に送信する。これにより、使用している全ての充電ポスト１８の電流値の合計をリアルタイムに管理サーバ１９で集中管理できる。
【００３４】
Ｓ１０７では、制御部２６は電力量計（子メータ）２５により電力供給線２７を流れる電流値を測定し、電流値が一定値以下まで低下するまで待機する。制御部２６は電流値が一定値以下まで低下すると充電が終了したと判断してＳ１０８に進む。
Ｓ１０８では、制御部２６は継電器２３をオフにする。充電が終了すると継電器２３をオフにするようにすると、次に充電する利用者は利用者情報を入力しないと充電が行われないので、充電を行った利用者を明確に区別できる。
【００３５】
Ｓ１０９では、制御部２６はＳ１０５で開始された充電によって使用された共用電灯の電力量を電力量計（子メータ）２５から取得し、利用者情報カードから読み取った利用者情報とＳ１０８で継電器２３をオフにした情報と電力量計（子メータ）２５から取得した電力量とを管理サーバ１９に送信する。なお、利用者情報については既にＳ１０１で送信済みであるので、それ以外の情報を送信するようにしてもよい。
【００３６】
Ｓ１１０では、管理サーバ１９のＣＰＵ４０は、充電ポスト１８から利用者情報と継電器２３をオフにした情報と電力量とを受信すると、受信した日時を計時部４６から取得し、受信した利用者情報、当該電力量、充電開始日時（Ｓ１０８で継電器２３をオンにした情報を受信したときに計時部４６から取得）、及び、充電終了日時（継電器２３をオフにした情報を受信したときに計時部４６から取得）を一つのレコードとして電力量テーブルに登録する。
【００３７】
また、ＣＰＵ４０は、予め登録された電気料金単価（時間帯、季別帯、使用量などによって異なる）と受信した電力量とから電気料金を計算して当該レコードに登録する。
更に、ＣＰＵ４０は、予め登録されたＣＯ２削減単位（係数）と電力量とからＣＯ２削減量を計算して当該レコードに登録する。
【００３８】
（５）実施形態の効果
以上説明した本発明の実施形態１に係る車両充電システム１によると、集合住宅１０の管理人は、電力量テーブルを参照することにより各利用者がそれぞれ車両の充電にどれだけの共用電灯を使用したかを把握できる。
これにより、管理人は例えば月末などの共用電灯の電気料金清算時に各利用者が当該月に充電に使用した共用電灯の電気使用量を利用者毎に合計し、利用者毎の合計に応じて共用電灯の電気料金を按分することにより、容易に利用者間で不公平が生じることなく請求できる。
【００３９】
更に、車両充電システム１によると、車両充電システム１を充電ポスト１８と管理サーバ１９とで構成しているので、例えば管理サーバ１９を集合住宅１０の管理人室あるいは集中管理室に設置することにより、管理人は充電ポスト１８まで行くことなく各利用者の電力量を把握でき、管理人の利便性が向上する。
【００４０】
更に、車両充電システム１によると、管理サーバ１９は、複数の充電ポスト１８から受信した利用者情報と継電器２３をオンにした情報と継電器２３をオフにした情報と電力量とを電力量管理データベースに登録する。これにより、複数の充電ポスト１８から送信される利用者情報と継電器２３をオンにした情報と継電器２３をオフにした情報と電力量とを管理サーバ１９で集中管理できる。
【００４１】
更に、車両充電システム１によると、利用者情報カードがなければ充電できないので、不正な充電を低減できる。また、利用者は利用者情報カードを読み取らせることにより利用者情報を入力できるので、利用者情報の入力が容易である。
【００４２】
更に、車両充電システム１によると、複数の充電ポスト１８の電力量計（子メータ）２５から取得した電流値を常に管理サーバ１９に送信するので、使用している全ての充電ポスト１８の電流値の合計をリアルタイムに管理サーバ１９で集中管理できる。
【００４３】
更に、車両充電システム１によると、予め登録された電気料金単価と電力量計（子メータ）２５により計測された電力量とから計算した電気料金を記憶するので、各利用者に請求する電気料金を容易に知ることができる。
【００４４】
また、本発明の実施形態１に係る充電ポスト１８によると、利用者情報と電力量とを管理サーバ１９に送信することにより、管理サーバ１９において集合住宅１０の各住人（利用者）がそれぞれ車両の充電にどれだけの共用電灯を使用したかを把握することが可能になる。
【００４５】
＜他の実施形態＞
本発明は上記記述及び図面によって説明した実施形態に限定されるものではなく、例えば次のような実施形態も本発明の技術的範囲に含まれる。
【００４６】
（１）上記実施形態では利用者情報カードから利用者情報を読み取ることにより利用者情報を入力する場合を例に説明したが、利用者を特定できる情報を入力できれば入力方法はこれに限られない。
例えば、利用者情報カードに替えて各利用者に利用者情報としてパスワードを付与しておき、利用者が充電ポスト１８にパスワードを入力するようにしてもよい。あるいは利用者情報カードに加えてパスワードを入力することにより二重にチェックするようにしてもよい。
また、例えば、各車両の自動車登録番号標や車両番号標、所謂ナンバーを利用者情報としてもよい。この場合、デジタルスチルカメラで車両のナンバープレートを撮像して画像データを生成し、生成した画像データから画像処理によりナンバーを自動認識することにより入力してもよい。
また、例えば車両にＩＣタグを設けておき、そのＩＣタグから利用者情報を読み取ってもよい。
【００４７】
（２）上記実施形態では継電器２３を各充電ポスト１８に設ける場合を例に説明したが、継電器２３を分電盤１６内に設け、管理サーバ１９又は充電ポスト１８がそのオン／オフを制御するようにしてもよい。
【００４８】
（３）上記実施形態では電力量計（子メータ）２５を各充電ポスト１８に設ける場合を例に説明したが、電力量計（子メータ）２５の検定などの保守作業を容易にするため、分電盤１６あるいはその近くなどに集合的に設置するようにし、各電力量計（子メータ）２５から管理サーバ１９に電力量を送信するようにしてもよい。
【００４９】
（４）上記実施形態では充電ポスト１８をプラグイン型の充電方式に対応してコンセント２２によって構成したが、これに限らず、車両に設けた受電コネクタに充電ポスト１８側の給電コネクタを接続する構成としてもよい。
また、必ずしも接触式の給電方式を採用する必要はなく、例えば電磁誘導タイプの非接触型の給電方式のものであってもよい。
【００５０】
（５）上記実施形態では車両充電システム１を充電ポスト１８と管理サーバ１９とで構成する場合を例に説明したが、充電ポスト１８に記憶手段を備えることにより、充電ポスト１８のみで車両充電システム１を構成してもよい。
【符号の説明】
【００５１】
１・・・集合住宅用の車両充電システム
１０・・・集合住宅
１１・・・集合住宅１０の駐車場
１２・・・各戸受電設備（電力会社が設置）
１３・・・共用受電設備（電力会社または集合住宅管理者が設置）
１４・・・各戸用電力量計（電力会社が設置）
１５・・・メインブレーカー
１６・・・分電盤
１７・・・子ブレーカー
１８・・・充電ポスト（充電用端末）
１９・・・管理サーバ
２０・・・通信線
２１・・・カード読取部（入力手段）
２２・・・コンセント（充電手段）
２３・・・継電器
２４・・・ポスト側通信部（第１の通信手段）
２５・・・電力量計（子メータ、計測手段）
２６・・・制御部（入力手段、充電手段、計測手段、第１の通信手段）
２７・・・電力供給線
４０・・・ＣＰＵ（判定手段、記憶手段、第２の通信手段）
４１・・・ＲＯＭ（各種のプログラムやデータの記憶手段）
４２・・・ＲＡＭ（主記憶手段）
４３・・・外部記憶装置（記憶手段）
４４・・・入力装置（入力手段）
４５・・・表示装置（表示手段）
４６・・・計時部（時刻計時手段）
４７・・・サーバ側通信部（第２の通信手段）
【図１】
2010187451.tif 000003
【図２】
2010187451.tif 000004
【図３】
2010187451.tif 000005
【図４】
2010187451.tif 000006
【図５】
2010187451.tif 000007
【図６】
2010187451.tif 000008
【図７】
2010187451.tif 000009